(57)【要約】【課題】抜け止め機能を損なうことなく、しかも、スラットカーテン巻き込みの際の収まりを良くし、シャッター収納部の大型化を避け、スラットの巻き径だけを配慮して、前記収納部の設計ができるようにしたシャッターの抜け止め構造を提供する。【解決手段】スラットカーテン１を構成する各スラット１１の両端を左右一対のガイドレール２、２に沿って昇降させるとともに、スラット１１の少なくとも一部の端部に回動自在にスラットフック部材３を設け、スラットフック部材３をガイドレール２、２内に設けた抜け止めフィン２ｂに抜け止め係合自在とさせた状態で、昇降させ、または、スラット１１の幅内に回動させて収納させるようにしている。【選択図】　　　　図２
2004092169.tif 000002
【特許請求の範囲】
【請求項１】
スラットカーテンを構成する各スラットの両端を左右一対のガイドレール内に挿入させて昇降させるとともに、前記スラットの少なくとも一部の端部にスラットフック部材を設け、該スラットフック部材を前記ガイドレール内壁に設けた抜け止めフィンに抜け止め係合自在とさせた状態で、昇降させるようにしたシャッターの抜け止め構造において、
前記スラットフック部材は、前記スラットの端部に対し回動自在に設けられていることを特徴とするシャッターの抜け止め構造。
【請求項２】
前記スラットフック部材は、その回動支軸の中心から前後に延びる棒状若しくは板状等の部材で構成され、前記スラットが略垂直状態にある時には、自重により、先端がスラットの前後面より突出する略水平の係合位置とされ、スラットが前記略垂直状態から傾斜若しくは水平方向に移動した時、又は他部材に接触した時には、上下方向若しくはスラットの幅内方向に回動するように構成されたことを特徴とする請求項１に記載のシャッターの抜け止め構造。
【請求項３】
前記スラットフック部材は、前記スラットの端部に固定されるスラット固定部を備えるフック取付け部材の先端側に、支軸を介して、回動自在に取り付けられていることを特徴とする請求項１又は２に記載のシャッターの抜け止め構造。
【発明の詳細な説明】
【０００１】
【発明の属する技術分野】
本発明は、スラットカーテンが風圧などによってガイドレールから抜け出すのを防止するシャッターにおける抜け止め構造に関するものである。
【０００２】
【従来の技術】
シャッターのスラットカーテンが、閉鎖状態において、風圧などの外力で撓み、その両側縁が、スラットカーテンの昇降の案内を行うガイドレールから抜け出すことがある。このようなことを防止するために、スラットカーテンを構成するスラットの少なくとも一部の両端にスラットフック部材を設け、該スラットフック部材をガイドレール内に設けた抜け止めフィンに抜け止め係合自在とさせた状態で、昇降させるようにしたシャッターの抜け止め構造が提案されている。この場合、スラットフック部材は、ガイドレール内のガイド溝の幅内に位置してスラットの前後幅よりも長く、先端がスラットの前後面から突出するように構成されており、スラットカーテンの昇降方向に関して所要間隔で、フック取付け部材を介して、スラットの幾つかに固定されている。
【０００３】
【発明が解決しようとする課題】
このような構成では、スラットフック部材が抜け止めフィンに係合するので、スラットカーテンが風圧などで撓んでも、スラットカーテンの両側縁部が、ガイドレールから外れることはない。しかし、スラットフック部材がスラットカ―テンの巻き取りの際に、前記スラットの前後幅の範囲に収まらず、スラットの前後面から突出するので、スラットカーテンの巻径を大きく見込んで設計しなければならない。このため、シャッター収納部が大型化するだけでなく、巻き取りの際の収まりが不安定となる。
【０００４】
本発明は、上記事情に基づいてなされたもので、その目的とするところは、スラットフック部材による抜け止め機能を損なうことなく、しかも、スラットカーテン巻き込みの際の収まりを良くし、シャッター収納部の大型化を避け、スラットの巻き径だけを配慮して、前記収納部の設計ができるようにしたシャッターの抜け止め構造を提供することにある。
【０００５】
【課題を解決するための手段】
このため、本発明では、図示の実施の形態でも明らかにしたように、スラットカーテン１を構成する各スラット１１の両端を左右一対のガイドレール２、２内に挿入させて昇降させるとともに、前記スラット１１の少なくとも一部の端部にスラットフック部材３を設け、該スラットフック部材３を前記ガイドレール２、２内壁に設けた抜け止めフィン２ｂに抜け止め係合自在とさせた状態で、昇降させるようにしたシャッターの抜け止め構造において、前記スラットフック部材３は、前記スラット１１の端部に対し回動自在に設けられていることを特徴としている。
【０００６】
スラットフック部材３は、スラット１１を略垂直方向とした時に、両端がスラット１１の前後方向に突出するように、略水平方向に回動自在に設けられる。また、抜け止めフィン２ｂは、断面略コのガイドレール２内壁中間部から断面略直角方向にガイドレール２の長手方向に沿って一体に突設されている。抜け止めフィン２ｂは、対向するガイドレール２の内壁から突出する一対のフィンにより構成され、抜け止めフィン２ｂの先端縁と対向する抜け止めフィン２ｂの先端縁との間に縦方向に連続するガイド溝が形成されている。抜け止めフィン２ｂがガイドレール２の内壁の一方からのみ突出する実施例の場合には、抜け止めフィン２ｂの先端縁と対向するガイドレール２の内壁との間に縦方向に連続するガイド溝が形成されている。
【０００７】
また、前記スラットフック部材３は、その回動支軸４ｂの中心から前後に延びる棒状若しくは板状等の部材で構成され、前記スラット１１が略垂直状態にある時には、自重により、スラットフック部材３の先端がスラット１１の前後面より突出する略水平の係合位置とされ、スラット１１が前記略垂直状態から傾斜若しくは水平方向に移動した時、又は他部材に接触した時には、上下方向若しくはスラット１１の幅内方向に回動するようにしたことを特徴としている。スラットフック部材３は、その上記回動時に、スラット１１の前後幅内に略収納される幅とされることが望ましい。また、スラットフック部材３は、上記略水平の係合位置を保つように、その後述する取り付け部材４などにストッパーを設けることができる。
【０００８】
さらに、前記スラットフック部材３は、前記スラット１１の端部に固定されるスラット固定部４ａを備えるフック取付け部材４の先端側に、支軸４ｂを介して、回動自在に取り付けられていることを特徴としている。
【０００９】
このような構成にすることで、本発明のシャッターの抜け止め構造では、支軸４ｂを中心にスラットフック部材３が上下に回動できるので、スラットカーテン１の巻込みの際、スラット１１の幅の範囲に略収めることができ、スラット１１の幅から大きく突出することがない。従って、収まりがよく、シャッター収納部を、従来のように、スラットフック部材のために大型化する必要がなく、その設計段階でも、スラットカーテン１の巻込み量のみを考慮すればよいことになる。しかも、スラットフック部材３は、フリーの状態では、重量バランスの関係で、その長さ方向を水平に保つことになるので、ガイドレール２内奥部の、のみ込み部２ｃにおいて、確実に抜け止めフィン２ｂに係合して、十分な係合状態を維持できることになる。
【００１０】
【発明の実施の形態】
以下、本発明の実施の形態を、図面を参照しながら、具体的に説明する。
この実施の形態でのシャッターのスラットカーテン１は、図示のように、複数のスラット１１で構成されており、各スラット１１の上下端縁部に形成されているカール部１１ａ、１１ｂにて、互いに回動自在となるように、上下に連続して係合された構成であり、各スラット１１の両端を、左右一対の略コ形ガイドレール２、２に挿入して昇降させるものである。
【００１１】
そして、上述のシャッターの抜け止め構造は、スラット１１の両端に設けたスラットフック部材３を、ガイドレール２内壁の中間部に設けた抜け止めフィン２ｂに係合させた状態で、ガイドレール２内を摺動させる構造である。ガイドレール２内は、抜け止めフィン２ｂにより奥部と前部に区画され、奥部をのみ込み部２ｃとし、前部をガイド溝条２ａとしている。スラットカーテン１は、その閉鎖時若しくは昇降開閉時に、スラット１１がガイド溝条２ａ内に位置し、スラットフック部材３がのみ込み部２ｃ内に位置し、取り付け部材４が抜け止めフィン２ｂに先端縁のガイド溝内に位置するように構成されている。
【００１２】
また、スラットフック部材３は、ガイドレール２の幅よりも小さい長さ幅で、スラット１１の前後面から先端が突出する長さＬで、かつ、スラットカーテン１の巻き取りの際に、スラット１１の幅の範囲に略収まる幅Ｗに構成されている。
【００１３】
また、スラットフック部材３が、スラットカーテン１の昇降方向に関して所要間隔Ｐで、スラット１１の幾つかに回転可能に装着されており、その重心が、その幅方向に関して、一方に偏り、また、長手方向に関して、その回転中心の左右にバランスするように構成されている。
【００１４】
ガイドレール２は、断面略コ字型に形成され、その内壁の中間部には、前後に対向するように前後抜け止めフィン２ｂ、２ｂが略直角方向に一体に突設され、前後抜け止めフィン２ｂ、２ｂの間が上下に連続するガイド溝とされている。ガイド溝条２ａの抜け止めフィン２ｂ、２ｂより奥側は、のみ込み部２ｃとされており、のみ込み部２ｃには、フック取付け部材４を介して、対応するスラット１１に対し、スラットフック部材３が昇降自在に設けられている。スラットフック部材３は、上記抜け止めフィン２ｂ、２ｂよりも入り口側のガイド溝条２ａ内で、スラット１１に固定されるスラット固定部４ａを備えるフック取付け部材４に対して、支軸４ｂを介して、上下回転可能に取り付けられている。また、その支軸４ｂの中心から左右に均等に延びる略棒状若しくは略長手板状等の部材で構成され、その部材の幅方向の片側に重心が偏るように、その長手方向に均等に重り３ａを備えている。そして、このことが、スラットフック部材３の構成を簡素化する上で有効である。
【００１５】
このような構成では、支軸４ｂを中心にスラットフック部材３が上下方向若しくはスラット１１の幅方向内に回動でき、また、スラットカ―テン１の巻き取りの際に、スラット１１の幅の範囲に略収まる幅Ｗに構成されているので、スラットカーテン１の巻込みの際、スラット１１の巻込み幅の範囲に収めることができ、収まりがよい。従って、シャッター収納部を、従来のように、スラットフック部材のために大型化する必要がなく、その設計段階でもスラットカーテン１の巻込み量のみを考慮すればよいことになる。
【００１６】
また、スラットフック部材３は、その重心が、その幅方向に関して、一方に偏り、また、長手方向に関して、その回転中心の左右にバランスするように構成されているから、フリーの状態では、重量バランスの関係で、その長さ方向を略水平に保つことになるので、ガイドレール２内壁の、のみ込み部２ｃにおいて、確実に抜け止めフィン２ｂに対して、十分な係合状態を維持できる。
【００１７】
尚、スラットフック部材３は、他部材に接触したときに回動するようにしてもよく、その場合の他部材としては、他のスラットでもよく、シャッターを収容するケース等に設けられ、スラットフック部材３と接触することが可能な被接触部材などでもよい。
【００１８】
【発明の効果】
このようにして、本発明によれば、ガイドレールは、スラットの両端に設けたスラットフック部材をガイドレール内壁の抜け止めフィンに係合させた状態で、ガイドレール内を摺動させる構造であり、スラットフック部材は、スラットカーテンの巻き取りの際に、スラットの幅の範囲に収まる方向に回動自在に構成されていることから、スラットフック部材による抜け止め機能を損なうことなく、しかも、スラットカーテン巻き込みの際の収まりを良くし、シャッター収納部の大型化を避け、スラットの巻き径だけを配慮して、前記収納部の設計ができる。
【００１９】
また、本発明において、スラットカーテンが略垂直な閉鎖位置にある時に、自重による重力バランスにより、スラットフック部材を略水平な係合位置とすることにより、構造と動作を簡略化できる。この場合、スラットフック部材を略水平な係合位置に回動保持させるためのストッパーを取り付け部材などに設けることができる。
【図面の簡単な説明】
【図１】本発明の実施の形態を示す全体の正面図である。
【図２】同じく、要部の縦断端面図である。
【図３】同じく、スラットフック部材の取付け状態を示す正面図である。
【図４】同じく、スラットフック部材の取付け状態を示す端面図である。
【図５】スラットフック部材とその取付け部材を示す平面図、正面図、端面図である。
【図６】ガイドレールの平断面図である。
【符号の説明】
１　　スラットカーテン
１１　　スラット
１１ａ、１１ｂ　　カール部
２　　ガイドレール
２ａ　　ガイド溝条
２ｂ　　抜け止めフィン
２ｃ　　のみ込み部
３　　スラットフック部材
３ａ　　重り
４　　取付け部材
４ａ　　スラット固定部
４ｂ　　支軸
【図１】
2004092169.tif 000003
【図２】
2004092169.tif 000004
【図３】
2004092169.tif 000005
【図４】
2004092169.tif 000006
【図５】
2004092169.tif 000007
【図６】
2004092169.tif 000008